(57)【要約】【課題】簡単な構造で耐久性の向上を図る。【解決手段】遊技者が誘導操作部材１１を右回りまたは左回りに操作すると、球反発機構２３の弾性体２８が誘導操作部材１１の操作方向と同じ方向に右回りまたは左回りに駆動し、弾性体２８の先端部がガイドレール１７に接触し、弾性体２８が点線で示す形態や一点鎖線で示す形態または仮想線で示す形態となるように弾性変形し、ガイドレール１７に接触して遊技領域１６を矢印Ｘ３で示す方向に移動する球Ｐが、点線で示す形態または一点鎖線で示す形態または仮想線で示す形態の弾性体２８に衝突してそれぞれ異なる方向で中心線Ｌ１の側に跳ね返される。誘導操作部材１１、操作盤４６、スイッチ４７、スイッチ４８、制御装置１３を使用することなく、弾性体２８が弧状に弾性変形するように、球反発機構２３を遊技盤１５に取り付けてもよい。【選択図】図１
2007195650.tif 000002
【特許請求の範囲】
【請求項１】
遊技盤の前面から遊技領域の側に突出するように取付基盤の前面に取り付けられた帯板状の弾性体を備えた球反発機構が、遊技盤の前面のガイドレールで囲まれた内側の遊技領域に取り付けられる場合、弾性体の遊技領域の側に突出する他端部がガイドレールに接触して右または左に凸となる弧を描くように弾性変形されるように、遊技領域に位置して設けられたことを特徴とするパチンコ遊技機の遊技部品。
【請求項２】
球反発機構が取付基盤の裏面に取り付けられたステップモータと取付基盤の裏面から前側に突出して弾性体の一端部を結合したステップモータの駆動軸とを備え、遊技盤を取り付ける遊技機枠の前面には誘導操作部材が設けられ、遊技機枠の内部には誘導操作部材の操作で制御装置に操作信号を出力するスイッチが設けられ、誘導操作部材が操作されると、スイッチが操作信号を制御装置に出力し、制御装置がステップモータを駆動することを特徴とする請求項１記載のパチンコ遊技機の遊技部品。
【発明の詳細な説明】
【技術分野】
【０００１】
本発明は、構造が簡単で耐久性が高いパチンコ遊技機の遊技部品に関する。
【背景技術】
【０００２】
パチンコ遊技機には、次のような遊技部品が設けられる。当該遊技部品は、遊技盤の遊技領域を囲むガイドレールに接触して発射されるパチンコ球と呼ばれる球を、左上部からアウト口の方に行かないように反発するものである。しかしながら、ガイドレールの一部を除去し、その除去した部分に球反発体を設ける構造である場合、ガイドレールの構造が複雑であるという欠点がある。ガイドレールに接触して発射された球が剛体として構成された球反発体に衝突する構造である場合、球反発体が壊れるという欠点がある。
【特許文献１】実開昭５９−１９０２８８号公報
【特許文献２】特開平６−２３３８５８号公報
【特許文献３】特開平９−２７６４９０号公報
【発明の開示】
【発明が解決しようとする課題】
【０００３】
発明が解決しようとする問題点は、ガイドレールの構造が複雑であったり、球反発体が壊れたりするという点である。
【課題を解決するための手段】
【０００４】
本発明に係るパチンコ遊技機の遊技部品は、遊技盤の前面から遊技領域の側に突出するように取付基盤の前面に取り付けられた帯板状の弾性体を備えた球反発機構が、遊技盤の前面のガイドレールで囲まれた内側の遊技領域に取り付けられる場合、弾性体の遊技領域の側に突出する他端部がガイドレールに接触して右または左に凸となる弧を描くように弾性変形されるように、遊技領域に位置して設けられたことを最も主要な特徴とする。球反発機構が取付基盤の裏面に取り付けられたステップモータと取付基盤の裏面から前側に突出して弾性体の一端部を結合したステップモータの駆動軸とを備え、遊技盤を取り付ける遊技機枠の前面には誘導操作部材が設けられ、遊技機枠の内部には誘導操作部材の操作で制御装置に操作信号を出力するスイッチが設けられ、誘導操作部材が操作されると、スイッチが操作信号を制御装置に出力し、制御装置がステップモータを駆動してもよい。
【発明の効果】
【０００５】
本発明に係るパチンコ遊技機の遊技部品は、球反発機構を遊技盤に取り付け、球の衝突による弾性体の弾性変形を利用する構造であるので、遊技部品としての構造が簡単であり、ガイドレールに接触して遊技領域を移動する球が遊技領域から前側に突出するように遊技盤に設けられた遊技釘または球反発体のような剛体に衝突する構造に比べ、弾性体の耐久性が向上するという利点がある。球反発機構が取付基盤の裏面に取り付けられたステップモータと取付基盤の裏面から前側に突出して弾性体の一端部を結合したステップモータの駆動軸とを備え、遊技盤を取り付ける遊技機枠の前面には誘導操作部材が設けられ、遊技機枠の内部には誘導操作部材の操作で制御装置に操作信号を出力するスイッチが設けられ、誘導操作部材が操作されると、スイッチが操作信号を制御装置に出力し、制御装置がステップモータを駆動すれば、遊技者による誘導操作部材の操作によって、弾性体が衝突した球をそれぞれ異なる方向に跳ね返すようにすることができるという利点がある。
【発明を実施するための最良の形態】
【０００６】
図１乃至図７は、発明を実施するための最良の形態である。図１は、球反発機構２３の制御系統を示す。図２は、パチンコ遊技機の正面を示す。図３は、球反発機構２３を分解して示す。図４は、遊技盤１５の球反発機構２３の周りの断面を示す。図５は、弾性体２８の右回りの展開を示す。図６は、弾性体２８が左に凸の弧状となる正面を示す。図７は、弾性体２８が結合体２９に右回りとなるように取り付けられた正面を示す。本明細書において、「前」、「表」、「後」、「裏」、「左」、「右」、「上」、「下」の方向は、図２のようにパチンコ遊技機を正面から見た場合に特定される方向である。「前」および「表」は、同じ方向である。「後」および「裏」は、同じ方向である。
【０００７】
図２を参照し、パチンコ遊技機の構造について説明する。パチンコ遊技機の遊技機枠１は、固定枠２の前側に可動枠３を開閉可能に備え、可動枠３の前側に前扉４および皿構造体５を開閉可能に備える。固定枠２は、外枠とも呼ばれ、パチンコ遊技機を設置する遊技店の島と呼ばれる遊技機設置構造体に固定される。可動枠３は、遊技盤や制御装置１３など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、個別に、左側に位置する図外のヒンジを中心とし、可動枠３の前側で前側に開かれかつ後側に閉じられるように、片開き可能である。前扉４は、パネル枠とも呼ばれ、前後方向に貫通する窓７を備える。窓７は、前扉４の裏面に設けられた無色のような光透過性の有るガラスのような前面パネル８で塞がれる。皿構造体５の前面には、球受皿部９、球発射操作機構１０、誘導操作部材１１が設けられる。皿構造体５の内部には、スイッチ１２が設けられる。誘導操作部材１１が遊技者によって操作されるたびにスイッチ１２を作動させ、スイッチ１２が操作信号を制御装置１３に出力する。可動枠３の閉じられた皿構造体５で覆い隠される前面には、球発射機構１４が設けられる。
【０００８】
遊技機枠１の内部には、遊技盤１５が格納される。遊技盤１５の遊技領域１６は、遊技盤１５の前面のガイドレール１７で囲まれた内側の部分であって、遊技機枠１の前側から前面パネル８を経由して視認される。遊技領域１６には、入賞部品１８、アウト口１９、球戻り防止弁２０、球発射通路２１、遊技釘２２、球反発機構２３、ストッパ２４、図外のその他遊技部品が設けられる。球発射通路２１は、遊技領域１６よりも左側に位置し、ガイドレール１７における左右に相対峙する一対の側部の間の隙間によって形成される。その他遊技部品としては、風車、サイドランプ、フィギャー、キャラクターなどである。球反発機構２３は、駆動軸３４が矢印Ｘ１で示す方向に回転するかまたは矢印Ｘ２で示す方向に回転すると、駆動軸３４に連結された帯板状の弾性体２８が矢印Ｘ１で示す方向に回転するかまたは矢印Ｘ２で示す方向に回転する。駆動軸３４および弾性体２８は、結合体２９で互いに固定される。ガイドレール１７と結合体２９との間の隙間、ガイドレール１７とストッパ２４との間の隙間は、１個の球の直径よりも大きく、１個の球の直径の２倍よりも小さい。よって、ガイドレール１７における遊技領域１６の上部に位置する部分に接触して誘導されながら矢印Ｘ３で示す方向に移動する球Ｐは、ガイドレール１７と結合体２９との間の隙間、ガイドレール１７とストッパ２４との間の隙間を、矢印Ｘ３の方向に通過可能である。
【０００９】
遊技機枠１の裏側や遊技盤１５の裏側に設けられた制御装置１３が供給された電力によって起動し、遊技者がパチンコ球と呼ばれる球を球受皿部９に入れ、遊技者が球発射操作機構１０を右側に回転するように操作すると、制御装置１３が球発射機構１４を球発射操作機構１０の操作量に応じた発射力で駆動するように制御し、球発射機構１４が球受皿部９から遊技機枠１の内部に取り込まれた球を１個ずつ球発射通路２１に向けて発射する。球発射通路２１に発射された球Ｐは、矢印Ｘ４で示す方向に上昇し、ガイドレール１７における球発射通路２１の外側に位置する部分に接触して誘導されながら、球戻り防止弁２０を押し開けて遊技領域１６に到達する。遊技領域１６に到達した球Ｐは、遊技領域１６を流下する過程において、複数の入賞部品１８、複数の遊技釘２２、球反発機構２３、その他遊技部品などに衝突して、流れる方向を変えながら、入賞部品１８のうちのいずれかに入って遊技盤１５の裏側に排出される。入賞部品１８に入賞した球は、当該入賞部品に設けられた図外の球検出器で検出される。この球を検出した球検出器は、入賞信号を制御装置１３に出力する。入賞信号が制御装置１３に入力されると、制御装置１３が入力された入賞信号に対応する個数の賞球を払い出すように図外の球払出機構を制御し、球払出機構が賞球としての球を遊技者に払い出すべく球受皿部９に払い出す。入賞部品１８に入らずに遊技領域１６の最下部に到達した球は、アウト口１９を経由して遊技盤１５の裏側に排出される。
【００１０】
図３を参照し、球反発機構２３の構造について説明する。球反発機構２３は、取付基盤２６、ステップモータ２７、弾性体２８、結合体２９を備える。取付基盤２６は、軸逃避孔３０、取付孔３１、支柱３２を備える。軸逃避孔３０は、前後方向への貫通孔として、取付基盤２６の中央部に設けられる。取付孔３１は、前後方向への貫通孔として、取付基盤２６の周縁部に設けられる。支柱３２は、取付基盤２６の裏面から裏側に突出する筒状の突起として、取付孔３１と干渉しない位置で、取付基盤２６の周縁部に設けられる。ステップモータ２７は、取付足３３および駆動軸３４を備える。取付足３３は、ステップモータ２７における回転子や固定子などの要素を格納したモータケースの周縁部から径方向の外側に突出する。取付足３３には、ねじ挿入孔３５が前後方向への貫通孔として設けられる。駆動軸３４は、モータケースの内部から前側に突出する。駆動軸３４には、回転阻止部３６が駆動軸３４の周面の一部を平坦面として除去された異形として形成される。弾性体２８は、合成樹脂またはばね材からなる帯板状である。弾性体２８の一端部には、鉤部３７が設けられる。結合体２９は、回転阻止孔３８、ねじ孔３９、取付溝４０を備える。回転阻止孔３８は、駆動軸３４の回転阻止部３６を嵌め込む異形孔として、結合体２９の中心部に設けられる。ねじ孔３９は、雌ねじが結合体２９の外周面と回転阻止孔３８とに貫通する孔に形成された構造である。取付溝４０は、弾性体２８の一端部を取り付ける溝として、結合体２９の周縁部に設けられる。
【００１１】
球反発機構２３は、次のように組み立てられる。駆動軸３４が取付基盤２６の裏側から軸逃避孔３０に挿入され、取付足３３の前面が支柱３２の裏面に接触され、タッピングスクリューのような止ねじ４１がねじ挿入孔３５から支柱３２の内部に締結される。これによって、回転阻止部３６が取付基盤２６よりも前側に突出し、ステップモータ２７が取付基盤２６に取り付けられる。弾性体２８の一端部が結合体２９の裏側から取付溝４０に挿入されて接着剤で接着されるかまたは圧入され、弾性体２８の他端部が結合体２９の外周面から径方向の外側に直線的に突出するように、弾性体２８が結合体２９に取り付けられる。これによって、弾性体２８が結合体２９の径方向の外側に引っ張られた場合でも、鉤部３７が結合体２９の内部に引っ掛かり、弾性体２８が結合体２９に脱落しないように取り付けられる。このように弾性体２８の取り付けられた結合体２９が、取付基盤２６より前側に突出した駆動軸３４に取り付けられる。その場合、回転阻止孔３８が駆動軸３４の前側から回転阻止部３６に嵌め込まれ、セットスクリューのような止ねじ４２が結合体２９の径方向の外側からねじ孔３９に締結され、止ねじ４２の先端が回転阻止部３６を回転阻止孔３８に押し付ける。これによって、結合体２９が駆動軸３４に脱落しないように取り付けられる。
【００１２】
上記のように組み立てられた球反発機構２３は、遊技盤１５に、次のように取り付けられる。遊技盤１５には、逃避孔４３および下穴４４が設けられる。逃避孔４３は、前後方向への貫通孔として、遊技盤１５に形成される。下穴４４は、遊技盤１５の遊技領域１６から内部への窪みとして、遊技盤１５に形成される。そして、ステップモータ２７が遊技領域１６の側から逃避孔４３に挿入されるのに伴い、支柱３２が逃避孔４３に取り込まれ、取付基盤２６の裏面が遊技領域１６に接触し、取付基盤２６が逃避孔４３を前側から塞ぐ。その後、木ねじのようなねじ釘４５が取付基盤２６の前側から取付孔３１および下穴４４を経由して遊技盤１５に締結される。これによって、球反発機構２３が図４に示すように取り付けられる。ステップモータ２７におけるモータケースから外側に突出した図外のモータ配線は、逃避孔４３から遊技盤１５の裏側に引き出され、図２の制御装置１３に接続される。
【００１３】
図４を参照し、遊技盤１５が図２の遊技機枠１に装着された場合における球反発機構２３の周りの構造について説明する。前面パネル８の裏面と遊技領域１６との間の空間Ｄには、球Ｐが矢印Ｘ５で示すように上方から下方に通過する。前面パネル８の裏面と結合体２９の前面との間の隙間、前面パネル８の裏面と弾性体２８の前側端面との間の隙間は、球Ｐが入り込めないように、１個の球Ｐの直径よりも小さい。
【００１４】
図１を参照し、球反発機構２３の制御系統について説明する。操作盤４６には、誘導操作部材１１、スイッチ４７；４８、中立操作位置４９、左操作位置５０、右操作位置５１が設けられる。スイッチ４７；４８は、スイッチ１２を構成する。中立操作位置４９は、誘導操作部材１１がスイッチ４７；４８をオン動作しない位置である。左操作位置５０は、誘導操作部材１１がスイッチ４８をオン動作することなくスイッチ４７をオン動作させる位置である。右操作位置５１は、誘導操作部材１１がスイッチ４７をオン動作することなくスイッチ４８をオン動作させる位置である。そして、誘導操作部材１１の目印５２が中立操作位置４９を指示している場合において、遊技者が誘導操作部材１１を右に回転操作し、目印５２が中立操作位置４９から右に離れて右操作位置５１を指示すると、誘導操作部材１１がスイッチ４８をオン動作し、スイッチ４８が右方向への操作信号を制御装置１３に出力し、弾性体２８が矢印Ｘ１で示す方向に回転するように、制御装置１３がステップモータ２７を駆動する。この制御装置１３によるステップモータ２７の駆動は、目印５２が右操作位置５１を指示している間、継続される。その状態において、遊技者が誘導操作部材１１を左に回転操作し、目印５２が右操作位置５１から中立操作位置４９の側に離れると、誘導操作部材１１がスイッチ４８をオフ動作し、スイッチ４８が右方向への操作信号の制御装置１３への出力を停止し、制御装置１３によるステップモータ２７の矢印Ｘ１で示す方向の駆動が停止する。
【００１５】
また、目印５２が中立操作位置４９を指示している場合において、遊技者が誘導操作部材１１を左に回転操作し、目印５２が中立操作位置４９から左に離れて左操作位置５０を指示すると、誘導操作部材１１がスイッチ４７をオン動作し、スイッチ４７が左方向への操作信号を制御装置１３に出力し、弾性体２８が矢印Ｘ２で示す方向に回転するように、制御装置１３がステップモータ２７を駆動する。矢印Ｘ２で示す回転方向は、矢印Ｘ１で示す回転方向の逆向きである。この制御装置１３によるステップモータ２７の駆動は、目印５２が左操作位置５０を指示している間、継続される。その状態において、遊技者が誘導操作部材１１を右に回転操作し、目印５２が左操作位置５０から中立操作位置４９の側に離れると、誘導操作部材１１がスイッチ４７をオフ動作し、スイッチ４７が左方向への操作信号の制御装置１３への出力を停止し、制御装置１３によるステップモータ２７の矢印Ｘ２で示す方向の駆動が停止する。
【００１６】
弾性体２８が駆動軸３４を中心として回転すると、弾性体２８の先端部がガイドレール１７に接触し、弾性体２８が弾性変形し得るように、球反発機構２３が遊技領域１６に取り付けられる。そして、弾性体２８が実線で示すように、駆動軸３４から中心線Ｌ１の側に延びるように停止し、弾性体２８とガイドレール１７との間にはガイドレール１７に接触して遊技領域１６を矢印Ｘ３で示す左側から右側に移動する球Ｐの通過し得る隙間が形成された状態において、遊技者が誘導操作部材１１を右に回転操作し、誘導操作部材１１が目印５２の右操作位置５１への指示を保持していると、ステップモータ２７の駆動軸３４が矢印Ｘ１で示す方向に駆動し、弾性体２８が駆動軸３４を中心として矢印Ｘ１で示す方向に回転する。このように弾性体２８が矢印Ｘ１で示す方向に回転するのに伴い、弾性体２８の結合体２９から離れる側に位置する先端部（以下、弾性体２８の先端部という）がガイドレール１７に接触し、弾性体２８が点線で示す形態や一点鎖線で示す形態または仮想線で示す形態となるように右に凸となる弧を描いて弾性変形する。弾性体２８の弾性変形において、点線で示す形態の曲率は一点鎖線で示す形態の曲率よりも小さく、一点鎖線で示す形態の曲率は仮想線で示す曲率よりも小さい。つまり、弾性体２８がガイドレール１７に接触して矢印Ｘ１で示す方向に回転するのにしたがい、弾性体２８による弾性変形した湾曲が大きくなる。
【００１７】
そして、ガイドレール１７に接触して遊技領域１６を矢印Ｘ３で示す方向に移動する球Ｐが、点線で示す形態の弾性体２８に衝突して中心線Ｌ１の側に跳ね返される方向と、一点鎖線で示す形態の弾性体２８に衝突して中心線Ｌ１の側に跳ね返される方向と、仮想線で示す形態の弾性体２８に衝突して中心線Ｌ１の側に跳ね返される方向とは、球Ｐの矢印Ｘ３で示す方向に移動する速度が同じであっても、互いに異なる。弾性体２８が仮想線で示す形態に弾性変形してストッパ２４に接触する。その状態において、遊技者が誘導操作部材１１を左に回転操作し、誘導操作部材１１が目印５２の左操作位置５０への指示を保持していると、ステップモータ２７の駆動軸３４が矢印Ｘ２で示す方向に駆動し、弾性体２８が駆動軸３４を中心として矢印Ｘ２で示す方向に回転する。このように弾性体２８が矢印Ｘ２で示す方向に回転するのに伴い、弾性体２８の先端部がガイドレール１７に接触したまま、弾性体２８が仮想線で示す形態から一点鎖線で示す形態を経由して点線で示す形態となるように復元する。中心線Ｌ１は、ガイドレール１７の最上部５３を通る鉛直線である。
【００１８】
最良の形態によれば、図１において、弾性体２８が実線で示すように結合体２９から左側に突出し、弾性体２８の先端部とガイドレール１７との間には、ガイドレール１７に接触して遊技領域１６を矢印Ｘ３で示す方向に移動する球Ｐの通過可能な間隔が形成されている。目印５２が中立操作位置４９を指示している。その状態において、遊技者が誘導操作部材１１を右回りに操作し、目印５２が中立操作位置４９から移動して右操作位置５１を指示すると、球反発機構２３の弾性体２８が誘導操作部材１１の操作方向と同じ方向に右回りに駆動し、弾性体２８の先端部がガイドレール１７に左から右に移動するように接触し、弾性体２８の他端部が点線で示す形態や一点鎖線で示す形態または仮想線で示す形態となるように弾性変形する。そして、ガイドレール１７に接触して遊技領域１６を矢印Ｘ３で示す方向に移動する球Ｐが、点線で示す形態または一点鎖線で示す形態または仮想線で示す形態の弾性体２８に衝突してそれぞれ異なる方向で中心線Ｌ１の側に跳ね返される。このため、遊技者は、弾性体２８に衝突してそれぞれ異なる方向に跳ね返される球Ｐが球Ｐの跳ね返される方向に存在する図２における複数の入賞部品１８のいずれかに狙いを定めるように、誘導操作部材１１を操作することができるという利点がある。しかも、ゴム製の球反発体をガイドレール１７の右上部に定置する必要がなく、ガイドレール１７の構造を簡単にすることができるという利点がある。
【００１９】
ガイドレール１７に接触して遊技領域１６を矢印Ｘ３で示す方向に移動する球Ｐが点線で示す形態または一点鎖線で示す形態または仮想線で示す形態に弾性変形した帯板状の弾性体２８に衝突するので、ガイドレール１７に接触して遊技領域１６を矢印Ｘ３で示す方向に移動する球Ｐが遊技領域１６から前側に突出するように遊技盤１５に設けられた遊技釘２２のような剛体に衝突する構造に比べ、弾性体２８の耐久性が向上するという利点がある。弾性体２８が結合体２９に対し左回りとなるように結合体２９の外周面から接線と平行な方向に延びているので、弾性体２８が図１に一点鎖線や仮想線で示す形態の右に凸となる弧を描いて弾性変形した場合、弾性体２８における結合体２９の側の根元部に球Ｐを貯蔵することができる。そして、球Ｐが弾性体２８の根元部に貯蔵した場合、遊技者が誘導操作部材１１を中立操作位置４９から左側に操作し、目印５２を左操作位置５０に停止させて、弾性体２８を矢印Ｘ２で示す方向に回転し、上記弾性体２８の根元部に貯蔵された球Ｐを弾性体２８から左側に放出することができる。また、弾性体２８の板厚を図２に示す球戻り防止弁２０のように薄くし、弾性体２８が容易に弾性変形し得るように構成されれば、上記球Ｐが弾性体２８の根元部に貯蔵した場合において、遊技者が誘導操作部材１１を中立操作位置４９から右側に操作し、目印５２を右操作位置５１に停止させて、弾性体２８を矢印Ｘ１で示す方向に回転し、弾性体２８をストッパ２４を左から右に越えさせることによって、上記弾性体２８の根元部に貯蔵された球Ｐを弾性体２８から右側に放出することができる。
【００２０】
図５に示すように、弾性体２８が、結合体２９の中心を通る直線Ｌ２の上に位置することなく、結合体２９の中心から径方向外側にずれた位置から結合体２９の中心を通る直線Ｌ２と平行するように設けられているので、弾性体２８が矢印Ｘ１で示すように回転すると、弾性体２８の他端部は駆動軸３４を中心とする真円形Ｌ３を描くことなくインボリュート曲線（伸開線）Ｌ４を描くように旋回するので、弾性体２８はガイドレール１７に左から右に移動するように接触し、図１に点線で示す形態または一点鎖線で示す形態または仮想線で示す形態となるように右に凸となる弧を描いて適切に弾性変形することができるという利点がある。図５に示すように、弾性体２８がガイドレール１７に左から右に移動するように接触して右に凸となる弧を描いて弾性変形するように用いられる場合、弾性体２８が結合体２９に対し左回りとなるように結合体２９の外周面から接線と平行な方向に延びるように結合体２９に設けられれば、弾性変形する弾性体２８の根元部への負荷を軽減することができるという利点がある。
【産業上の利用可能性】
【００２１】
弾性体２８が図１に実線で示す位置と仮想線で示す位置との範囲で矢印Ｘ１で示す方向および矢印Ｘ２で示す方向に回転するように、弾性体２８の回転運動範囲が規定されれば、弾性体２８が実線で示す位置から点線で示す形態や一点鎖線で示す形態または仮想線で示す形態となるように短時間で弾性変形することができる。弾性体２８が図１に示すように実線で示す位置に停止している場合、止ねじ４２が結合体２９から右側に突出するように、止ねじ４２が結合体２９に設けられれば、矢印Ｘ３で示す方向に移動する球Ｐが止ねじ４２を直撃することがなく、止ねじ４２が緩まないという利点がある。
【００２２】
図１において、ストッパ２４は設けなくてもよいが、ストッパ２４が設けられれば、弾性体２８が仮想線で示す形態に弾性変形した態様を確保することができる。誘導操作部材１１を２個の押釦として設け、遊技者が一方の誘導操作部材１１を押している間、弾性体２８が図１の矢印Ｘ１で示す方向に回転し、遊技者が他方の誘導操作部材１１を押している間、弾性体２８が図１の矢印Ｘ２で示す方向に回転するようにしてもよい。ガイドレール１７は、１本の帯板材で構成することなく、図１の左側から右側に行くにしたがって上方に凸となる弧を描く帯板材と図１の右側から左側に行くにしたがって下方に凸となる弧を描く帯板材とからなる２本の帯板材で構成してもよい。弾性体２８が金属で形成され、結合体２９が成形型によって形成される場合、弾性体２８を成形型の内部に設置した後、成形型の内部に結合体２９の成形材料を入れるという、インサート成形法によって、弾性体２８が結合体２９に取り付けられた構造であってもよい。この場合、取付溝４０が結合体２９に予め形成される必要はない。
【００２３】
図６に示すように弾性体２８を左に凸となる弧を描いて弾性変形させてもよい。図６では、弾性体２８が実線で示すように結合体２９から右側に突出し、弾性体２８の先端部とガイドレール１７との間には、ガイドレール１７に接触して遊技領域１６を矢印Ｘ３で示す方向に移動する球Ｐの通過可能な間隔が形成され、ストッパ２４が遊技領域１６に設けられていない。その状態において、遊技者が誘導操作部材１１を左回りに操作し、目印５２が中立操作位置４９から移動して左操作位置５０を指示すると、球反発機構２３の弾性体２８が誘導操作部材１１の操作方向と同じ方向に左回りに駆動し、弾性体２８の先端部がガイドレール１７に右から左に移動するように接触し、弾性体２８の他端部が点線で示す形態や一点鎖線で示す形態または仮想線で示す形態となるように左に凸となる弧を描いて弾性変形する。
【００２４】
前記のように弾性体２８がガイドレール１７に右から左に移動するように接触して左に凸となる弧を描いて弾性変形するように用いられる場合、図７に示すように、弾性体２８が結合体２９に対し右回りとなるように結合体２９の外周面から接線と平行な方向に延びるように結合体２９に設けられれば、弾性変形する弾性体２８の根元部への負荷を軽減することができるという利点がある。図７の場合、弾性体２８が結合体２９に対し右回りとなるように結合体２９の外周面から接線と平行な方向に延びるように結合体２９に設けられた構造体が、図６に示す弾性体２８と結合体２９とからなる構造体と別のものとして構成されてもよい。しかしながら、最良の形態では、図３に示すように、回転阻止孔３８が結合体２９に前後方向への貫通孔として設けられているので、結合体２９の裏面が駆動軸３４に向けられ、回転阻止孔３８が駆動軸３４の前側から回転阻止部３６に嵌め込まれることによって、図７に示すように、弾性体２８が結合体２９に対し右回りとなるように結合体２９の外周面から接線と平行な方向に延びるように結合体２９に設けられた形態として使用できるという利点がある。図８のａ図に示すように、球反発機構２３が遊技盤１５に設置され、弾性体２８が結合体２９に対し右回りとなるように結合体２９の外周面から接線と平行な方向に延びるように結合体２９に設けられた形態であって、弾性体２８が矢印Ｘ２で示す方向に駆動してガイドレール１７に右から左に移動するように接触して左に凸となる弧を描いて弾性変形するように用いられると、弾性体２８の根元部に図１に示すような球貯蔵可能な窪みを形成することがなく、弾性体２８が衝突した球を貯蔵することなく左側に放出することができるという利点がある。図８のｂ図に示すように、球反発機構２３が遊技盤１５に設置され、弾性体２８が結合体２９に対し右回りとなるように結合体２９の外周面から接線と平行な方向に延びるように結合体２９に設けられた形態であって、弾性体２８が矢印Ｘ１で示す方向に駆動してガイドレール１７に左から右に移動するように接触して右に凸となる弧を描いて弾性変形するように用いられると、弾性体２８の根元部に図１に示すような球貯蔵可能な窪みを形成することがなく、弾性体２８が衝突した球を貯蔵することなく左側に放出することができるという利点がある。
【００２５】
図９は、異なる形態に係る弾性体２８が結合体２９に取り付けられる構造を示す。図９のａ図に示すように、弾性体２８の一端部には、湾曲部５４が形成される。湾曲部５４は、結合体２９の外周面に接触し、結合体２９に巻き付けられるように、結合体２９に装着される。湾曲部５４には、ねじ挿入孔５５が湾曲部５４の外側および内側への貫通孔として設けられる。そして、湾曲部５４が結合体２９に装着され、ねじ挿入孔５５が結合体２９のねじ孔３９と位置が合わされた後、止ねじ４２が湾曲部５４の外側からねじ挿入孔５５を経由してねじ孔３９に締結され、止ねじ４２の先端部が回転阻止部３６を回転阻止孔３８に押し付ける。これによって、弾性体２８および結合体２９が駆動軸３４に固定される。弾性体２８の他端部は、弾性体２８が結合体２９に対し左回りとなるように結合体２９の外周面から接線方向に直線的に突出した形態である。図９のｂ図では、湾曲部５４が結合体２９に装着されることによって、弾性体２８の他端部は、弾性体２８が結合体２９に対し右回りとなるように結合体２９の外周面から接線方向に直線的に突出した形態である。
【００２６】
図１０は、異なる形態に係る遊技盤１５に取り付けられた球反発機構２３を示す。球反発機構２３の取付基盤２６の前面には、弾性支持部５６が取付基盤２６の前面から前側に突出する突起として固定的に設けられる。弾性支持部５６には、弾性体２８の一端部が埋め込まれるように結合される。弾性体２８の他端部は、弾性支持部５６の外周面から径方向の外側に突出する。そして、取付基盤２６がねじ釘４５で遊技盤１５の遊技領域１６に固定される場合、弾性体２８の他端部がガイドレール１７に接触して実線で示すように右に凸となる弧を描くように弾性変形されるように、球反発機構２３が遊技領域１６に位置して設けられる。その状態において、ガイドレール１７に接触して遊技領域１６を矢印Ｘ３で示す方向に移動する球Ｐが実線で示す形態の弾性体２８に衝突することによって、弾性体２８が実線で示す形態から一点鎖線で示す形態または仮想線で示す形態となるように弾性変形し、この弾性変形した弾性体２８が衝突した球Ｐをそれぞれ異なる方向で中心線Ｌ１の側に跳ね返す。図示は省略するが、取付基盤２６がねじ釘４５で遊技盤１５の遊技領域１６に固定される場合、弾性体２８の他端部がガイドレール１７に接触して左に凸となる弧を描くように弾性変形されるように、球反発機構２３が遊技領域１６に位置して設けられてもよい。図１０では、図１の誘導操作部材１１、操作盤４６、スイッチ４７、スイッチ４８、制御装置１３を使用することなく、球反発機構２３を遊技盤１５に取り付け、球Ｐの衝突による弾性体２８の弾性変形を利用する構造であるので、遊技部品としての構造が簡単であるという利点があり、ガイドレール１７に接触して遊技領域１６を矢印Ｘ３で示す方向に移動する球Ｐが遊技領域１６から前側に突出するように遊技盤１５に設けられた遊技釘２２のような剛体に衝突する構造に比べ、弾性体２８の耐久性が向上するという利点がある。
【００２７】
前記各形態において、止ねじ４２は、ガイドレール１７に接触して遊技領域１６を矢印Ｘ３で示す方向に移動する球Ｐの直撃を受けにくい位置に設ければよい。
【図面の簡単な説明】
【００２８】
【図１】球反発機構の制御系統のブロック図（最良の形態）。
【図２】パチンコ遊技機の正面図（最良の形態）。
【図３】球反発機構の分解斜視図（最良の形態）。
【図４】遊技盤における球反発機構の周りの縦断面図（最良の形態）。
【図５】弾性体が右に凸の弧状となった正面図（最良の形態）。
【図６】弾性体が左に凸の弧状となった正面図（最良の形態）。
【図７】弾性体が結合体に右回りに取り付けられた正面図（最良の形態）。
【図８】ａ図は右回りの弾性体球が左に凸の弧状となった正面図、ｂ図は右回りの弾性体球が右に凸の弧状となった正面（異なる第１形態）。
【図９】弾性体の結合体に取り付けられた断面図（異なる第２形態）。
【図１０】遊技盤に取り付けられた球反発機構の正面図（異なる第３形態）。
【符号の説明】
【００２９】
１    遊技機枠
１５  遊技盤
１６  遊技領域
１７  ガイドレール
２３  球反発機構
２６  取付基盤
２７  ステップモータ
２８  弾性体
【図１】
2007195650.tif 000003
【図２】
2007195650.tif 000004
【図３】
2007195650.tif 000005
【図４】
2007195650.tif 000006
【図５】
2007195650.tif 000007
【図６】
2007195650.tif 000008
【図７】
2007195650.tif 000009
【図８】
2007195650.tif 000010
【図９】
2007195650.tif 000011
【図１０】
2007195650.tif 000012